【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
(i)活性剤を含む粒子および（ｉｉ）リグニン導物質とポリオール混合物とを含む結合剤を含む顆粒であって、該リグニン誘導物質対ポリオール混合物の比率が、実質的に球体および／または耐粉砕性である顆粒をもたらすのに足り、該活性剤が農業活性剤、医薬活性剤、または食品である、前記顆粒。
【請求項２】
前記粒子の溶解度が２０℃で約１０ｇ／水１００ｍｌであるとき、前記比率が約５：１〜約２０：１であり、または前記粒子の溶解度が２０℃で約０．３ｇ／水１００ｍｌであるとき、前記比率が約１．５：１〜約４：１である請求項１に記載の顆粒。
【請求項３】
前記粒子の溶解度が２０℃で約１０ｇ／水１００ｍｌよりも大きいとき、前記結合剤が、約５：１〜２０：１の比率の前記リグニン誘導物質対ポリオール混合物を含み、または前記粒子の溶解度が２０℃で０．３ｇ／水１００ｍｌ未満のとき、前記結合剤が、約１．５：１〜４：１の比率の前記リグニン誘導物質対ポリオール混合物を含み、ただし、該結合剤はホルムアルデヒド、石油系化学品、カーボネート、サルフェート、またはシリケート強化剤を含まない、請求項１に記載の顆粒。
【請求項４】
活性剤には肥料、微小栄養物、殺虫剤、種子、顆粒化食品、医薬物質、またはこれらの組み合わせがある、請求項１に記載の顆粒。
【請求項５】
前記ポリオール混合物が、前記リグニンの約１０〜２０重量％含む、請求項１に記載の顆粒。
【請求項６】
前記ポリオール混合物が、約１５％までの単糖類の量、約２０％までの二糖類の量、および少なくとも約５０％までの水素化デンプン加水分解物の量で含む、請求項１に記載の顆粒。
【請求項７】
前記農業活性剤が肥料である、請求項１に記載の顆粒。
【請求項８】
嵩密度物質をさらに含む請求項１〜７のいずれかに記載の顆粒。
【請求項９】
耐粉砕性および／または実質的に球体の請求項１に記載の顆粒を形成するのに足る比率のリグニンおよびポリオール混合物と、肥料とを含む、バインダー用配合物であって、前記肥料が、窒素、リン、カリウム、微小栄養物、またはこれらの組み合わせを含み、前記微小栄養物が、カルシウム、マグネシウム、硫黄、ホウ素、銅、鉄、塩化物、マグネシウム、モリブデン、亜鉛、またはこれらの組み合わせを含み、リグニン：ポリオール混合物の比率が、約１．５：１〜約１６：１であり、顆粒の耐粉砕性が、少なくとも２  ｌｂｓ／力に耐えることができ、顆粒の球体性が少なくとも８５％である、前記バインダー用配合物。
【請求項１０】
前記リグニンが、リグノスルホネートカルシウム、リグノスルホネートナトリウム、リグノスルホネートアンモニウム、リグノスルホネートマグネシウム、リグノスルホネートアルミニウム、リグノスルホネートクロム、またはこれらの組み合わせを含む、請求項９に記載の配合物。
【請求項１１】
前記ポリオール混合物が、単糖類、二糖類、水素化デンプン加水分解物、またはこれらの組み合わせを含む、請求項９または１０に記載の配合物。
【請求項１２】
前記ポリオール混合物が、リグニンの乾燥重量を基準に少なくとも１０〜２０％含む、請求項９に記載の配合物。
【請求項１３】
球体で耐粉砕性顆粒の製造法であって、
ａ．粒子；
ｂ．リグノスルホネート；および
ｃ．ポリオール混合物；を
凝集粒子をもたらすに足る比率で混合することを含み、各粒子は少なくとも８５％球体性であり、０．７８のアスペクト比を有し、２．０  ｌｂｓ／力の耐粉砕性を示し；粒子が、肥料、除草剤、殺虫剤、微小栄養物、種子、土壌コンディショナー、不活性担体、植物成長ホルモン、植物生長調整剤、土壌湿潤促進剤、種子、および湿潤剤、またはこれらの組み合わせを含み；リグノスルホネートがリグノスルホネートカルシウム、リグノスルホネートナトリウム、リグノスルホネートアンモニウム、リグノスルホネートマグネシウム、リグノスルホネートアルミニウム、リグノスルホネートクロム、またはこれらの組み合わせを含み；ポリオール混合物が単糖類、二糖類、水素化デンプン加水分解物、またはそれらの組み合わせを含み；リグノスルホネートとポリオール混合物を予備混合してバインダー溶液にする、前記方法。
【請求項１４】
リグノスルホネートおよびポリオールが約１．５：１〜約１６：１の比率で存在する、請求項１３に記載の方法。
【請求項１５】
種子をさらに加え、該種子が草、野菜、花、穀類、またはこの組み合わせを含む、請求項１３または１４に記載の方法。
【手続補正２】
【補正対象書類名】明細書
【補正対象項目名】００７２
【補正方法】変更
【補正の内容】
【００７２】
[0070]  本明細書中で示した総ての書類（例：特許、特許出願、非特許文献）全体を参照として含める。
以下に、本願出願時の特許請求の範囲を記載する。
［請求項１］
(i)活性剤を含む粒子および（ｉｉ）リグニン導物質とポリオール混合物とを含む結合剤を含む顆粒であって、該リグニン誘導物質対ポリオール混合物の比率が、実質的に球体および／または耐粉砕性である顆粒をもたらすのに足り、該活性剤が農業活性剤、医薬活性剤、または食品である、前記顆粒。
［請求項２］
前記粒子の溶解度が２０℃で約１０ｇ／水１００ｍｌであるとき、前記比率が約５：１〜約２０：１であり、または前記粒子の溶解度が２０℃で約０．３ｇ／水１００ｍｌであるとき、前記比率が約１．５：１〜約４：１である請求項１に記載の顆粒。
［請求項３］
前記粒子の溶解度が２０℃で約１０ｇ／水１００ｍｌよりも大きいとき、前記リグニン誘導物質対ポリオールの混合物の比率が約５：１〜２０：１である請求項１に記載の顆粒。
［請求項４］
前記微粒物質の溶解度が２０℃で０．３ｇ／水１００ｍｌ未満のとき、前記リグニン誘導物質対ポリオールの混合物の比率が約１．５：１〜４：１である請求項１に記載の顆粒。
［請求項５］
前記粒子の溶解度が２０℃で約１０ｇ／水１００ｍｌよりも大きいとき、前記結合剤が、約５：１〜２０：１の比率の前記リグニン誘導物質対ポリオール混合物を含み、ただし、該結合剤はホルムアルデヒド、石油系化学品、カーボネート、サルフェート、またはシリケート強化剤を含まない、請求項１に記載の顆粒。
［請求項６］
前記粒子の溶解度が２０℃で０．３ｇ／水１００ｍｌ未満のとき、前記結合剤が、約１．５：１〜４：１の比率の前記リグニン誘導物質対ポリオール混合物を含み、ただし、該結合剤はホルムアルデヒド、石油系化学品、カーボネート、サルフェート、またはシリケート強化剤を含まない、請求項１に記載の顆粒。
［請求項７］
活性剤には肥料、微小栄養物、殺虫剤、種子、顆粒化食品、医薬物質、またはこれらの組み合わせがある、請求項１に記載の顆粒。
［請求項８］
前記リグニンがリグノスルホネートである請求項１に記載の顆粒。
［請求項９］
前記リグノスルホネートが、前記結合剤の約５〜６重量％含む、請求項８に記載の顆粒。
［請求項１０］
前記リグノスルホネートが、カルシウム、ナトリウム、アンモニウム、マグネシウム、アルミニウム、またはこれらの組み合わせの塩である、請求項８に記載の顆粒。
［請求項１１］
前記ポリオール混合物が、前記リグニンの約１０〜２０重量％含む、請求項１に記載の顆粒。
［請求項１２］
前記ポリオール混合物が、約１５％までの単糖類の量、約２０％までの二糖類の量、および少なくとも約５０％までの水素化デンプン加水分解物（ＨＳＨ）の量で含む、請求項１に記載の顆粒。
［請求項１３］
リグニンとポリオール混合物とが、約１．５：１〜約１６：１の比率である、請求項１に記載の顆粒。
［請求項１４］
前記単糖類が、マンニトール、ズルシトール、イジトール、ソルビトール、またはこれらの組み合わせである、請求項１２に記載の顆粒。
［請求項１５］
単糖類がソルビトールである請求項１４に記載の顆粒。
［請求項１６］
前記二糖類が、イソマルト、ラクチトール、ポリグリシトール、マルチトール、またはこれらの組み合わせである、請求項１２に記載の顆粒。
［請求項１７］
前記二糖類がマルチトールである請求項１６に記載の顆粒。
［請求項１８］
前記農業活性剤が、肥料、除草剤、殺虫剤、またはこれらの組み合わせである、請求項１に記載の顆粒。
［請求項１９］
前記農業活性剤が肥料である、請求項１に記載の顆粒。
［請求項２０］
前記肥料が、窒素、リン、カリウム、またはこれらの組み合わせを含む、請求項１９に記載の顆粒。
［請求項２１］
前記微小栄養物が、カルシウム、マグネシウム、硫黄、ホウ素、銅、鉄、塩化物、マグネシウム、モリブデン、亜鉛、またはこれらの組み合わせを含む、請求項７に記載の顆粒。
［請求項２２］
前記微小栄養物が鉄である、請求項２１に記載の顆粒。
［請求項２３］
前記粒子と結合剤が、微小栄養物をキレート化するのに有効な量である、請求項１に記載の顆粒。
［請求項２４］
前記微小栄養物が鉄である、請求項２３に記載の顆粒。
［請求項２５］
前記粒子の寸法範囲が約１０〜２０ＳＧＮである、請求項１に記載の顆粒。
［請求項２６］
種子、パーライト、またはこれらの組み合わせをさらに含む請求項１に記載の顆粒。
［請求項２７］
肥料粒子、微小栄養素、リグノスルホネートおよびポリオール類を含む耐粉砕性顆粒肥料であって、リグノスルホネートおよびポリオールが各々顆粒物の集団をもたらすことができる濃度であり、各顆粒の球体性が少なくとも８５％であり、アスペクト比が少なくとも０．７８であり、硬度が２  ｌｂｓ／力である、前記耐粉砕性顆粒肥料。
［請求項２８］
リグノスルホネートおよびポリオールの比率が、２０℃で０．３ｇ／水１００ｍｌの溶解度で、約１．５：１〜約１６：１である、請求項２７に記載の肥料。
［請求項２９］
前記ポリオール混合物が、１５％のソルビトール、２０％のマルチトール、および６５％のＨＳＨを含む、請求項２７に記載の肥料。
［請求項３０］
種子、パーライト、またはこれらの組み合わせをさらに含む、請求項２７に記載の肥料。
［請求項３１］
種子が草種子である請求項３０に記載の肥料。
［請求項３２］
耐粉砕性で実質的に球体の顆粒を形成するのに足る比率のリグニン、ポリオール混合物、および肥料を含む、バインダー用配合物であって、前記肥料が、窒素、リン、カリウム、微小栄養物、またはこれらの組み合わせを含み、前記微小栄養物が、カルシウム、マグネシウム、硫黄、ホウ素、銅、鉄、塩化物、マグネシウム、モリブデン、亜鉛、またはこれらの組み合わせを含み、リグニン：ポリオール混合物の比率が、約１．５：１〜約１６：１であり、顆粒の耐粉砕性が、少なくとも２  ｌｂｓ／力に耐えることができ、顆粒の球体性が少なくとも８５％である、前記バインダー用配合物。
［請求項３３］
前記リグニンが、リグノスルホネートカルシウム、リグノスルホネートナトリウム、リグノスルホネートアンモニウム、リグノスルホネートマグネシウム、リグノスルホネートアルミニウム、リグノスルホネートクロム、またはこれらの組み合わせを含む、請求項３２に記載の配合物。
［請求項３４］
前記ポリオール混合物が、単糖類、二糖類、ＨＳＨ、またはこれらの組み合わせを含む、請求項３２に記載の配合物。
［請求項３５］
前記ポリオール混合物が、リグニンの乾燥重量を基準に少なくとも１０〜２０％含む、請求項３２に記載の配合物。
［請求項３６］
前記単糖類が、マンニトール、ズルシトール、イジトール、ソルビトール、またはこれらの組み合わせを含む、請求項３４に記載の配合物。
［請求項３７］
前記二糖類が、イソマルト、ラクチトール、ポリグリシトール、マルチトール、またはこれらの組み合わせを含む、請求項３４に記載の配合物。
［請求項３８］
前記ポリオール混合物が、ソルビトール、マルチトール、またはこれらの組み合わせを含む、請求項３２に記載の配合物。
［請求項３９］
前記ポリオール混合物が、１５％のソルビトール、２０％のマルチトール、および少なくとも５０％のＨＳＨを含む、請求項３２に記載の配合物。
［請求項４０］
球体で耐粉砕性顆粒の製造法であって、
ａ．粒子；
ｂ．リグノスルホネート；および
ｃ．ポリオール混合物；を
凝集粒子をもたらすに足る比率で混合することを含み、各粒子は少なくとも８５％球体性であり、０．７８のアスペクト比を有し、２．０  ｌｂｓ／力の耐粉砕性を示し；粒子が、肥料、除草剤、殺虫剤、微小栄養物、種子、土壌コンディショナー、不活性担体、植物成長ホルモン、植物生長調整剤、土壌湿潤促進剤、種子、および湿潤剤、またはこれらの組み合わせを含み；リグノスルホネートがグノスルホネートカルシウム、リグノスルホネートナトリウム、リグノスルホネートアンモニウム、リグノスルホネートマグネシウム、リグノスルホネートアルミニウム、リグノスルホネートクロム、またはこれらの組み合わせを含み；ポリオール混合物が単糖類、二糖類、ＨＳＨ、またはそれらの組み合わせを含み；リグノスルホネートとポリオール混合物を予備混合してバインダー溶液にする、前記方法。
［請求項４１］
リグノスルホネートおよびポリオールが約１．５：１〜約１６：１の比率で存在する、請求項４０に記載の方法。
［請求項４２］
種子をさらに加え、該種子が草、野菜、花、穀類、またはこの組み合わせを含む、請求項４０に記載の方法。
［請求項４３］
パーライト、または合成膨張物質、コイア、および珪藻土のようなそれらの物理組成物中に同様の開放孔空間を有する物質、またはこれらの組み合わせをさらに含む、請求項４０に記載の方法。
［請求項４４］
バインダー溶液を、アトマイザーを適用することにより前記粒子と混合する、請求項４０に記載の方法。
［請求項４５］
顆粒化方法に小さい寸法の粒子を再循環することにより、顆粒が０．７８のアスペクト比を達成する、請求項４０に記載の方法。
［請求項４６］
高度に球体で耐粉砕性顆粒の製造方法であって、次の工程：
ａ．微粒子物質を混合して均一ブレンドを形成すること、ここで、微粒子物質は除草剤、殺虫剤、微小栄養物、種子、またはこれらの組み合わせである；
ｂ．周囲温度および周囲湿度で（ａ）のブレンドおよびバインダー溶液を混合装置中に配合して、顆粒を生成すること、ここで、該バインダー溶液はリグニン誘導物質およびポリオール混合物を含み、噴霧溶液として配合される；そして
ｃ．混合装置に顆粒を再循環して戻すこと；
を含む、前記方法。
［請求項４７］
前記リグニンがリグノスルホネートである、請求項４６に記載の方法。
［請求項４８］
前記リグノスルホネートが結合剤の重量の約５〜６％含む、請求項４７に記載の方法。
［請求項４９］
前記リグノスルホネートが、カルシウム、ナトリウム、アンモニウム、マグネシウム、アルミニウム、またはこれらの組み合わせの塩である、請求項４７に記載の方法。
［請求項５０］
前記ポリオール混合物が、リグニンの重量の約１０〜２０％を含む、請求項４６に記載の方法。
［請求項５１］
前記ポリオール混合物が、約１５％までの単糖類の量、約２０％までの二糖類の量、および少なくとも約５０％までの水素化デンプン加水分解物（ＨＳＨ）の量で含む、請求項４６に記載の方法。
［請求項５２］
前記リグニンおよびポリオール混合物の比率が約１．５：１〜約１６：１である、請求項４６に記載の方法。
［請求項５３］
前記単糖類が、マンニトール、ズルシトール、イジトール、ソルビトール、またはこれらの組み合わせである、請求項５１に記載の方法。
［請求項５４］
前記単糖類がソルビトールである請求項５３に記載の方法。
［請求項５５］
前記二糖類が、イソマルト、ラクチトール、ポリグリシトール、マルチトール、またはこれらの混合物である、請求項５１に記載の方法。
［請求項５６］
前記二糖類がマルチロールである請求項５５に記載の方法。
［請求項５７］
前記顆粒を再循環させて、少なくとも８５％の球体性、少なくとも０．７８のアスペクト比、および、少なくとも２  ｌｂｓ／力の耐粉砕性を示す顆粒を得る、請求項４６に記載の方法。
［請求項５８］
粒子の寸法範囲が約１０〜２０ＳＧＮである、請求項４６に記載の方法。
［請求項５９］
前記粒子物質の溶解度が２０℃で１０ｇ／水１００ｍｌよりも大きいとき、前記リグニン誘導物質対ポリオール混合物の比率が約５：１〜約２０：１である、請求項４６に記載の方法。
［請求項６０］
前記粒子物質の溶解度が２０℃で０．３ｇ／水１００ｍｌ未満のとき、前記リグニン誘導物質対ポリオール混合物の比率が約１．５：１〜約４：１である、請求項４６に記載の方法。
［請求項６１］
顆粒生成物を乾燥する工程をさらに含み、ここで、前記乾燥処理が顆粒の硬度を向上させる、請求項４６に記載の方法。
［請求項６２］
乾燥処理を約９５℃〜約１８５℃で行う請求項６１に記載の方法。
［請求項６３］
乾燥時間が約５分〜約２０分である請求項６１に記載の方法。
［請求項６４］
（ｉ）生育可能な種子、少なくとも１種の土壌コンディショニング剤、肥料、微小栄養物またはこれらの組み合わせからなる粒子；（ｉｉ）リグニン誘導物質およびポリオール混合物からなる結合剤を含み、前記リグニン誘導物質対ポリオール混合物の比率が約１．５：１〜約４：１である顆粒製品。
［請求項６５］
前記粒子物質の溶解度が２０℃で０．３ｇ／水１００ｍｌ未満のとき、前記リグニン誘導物質対ポリオール混合物の比率が約１．５：１〜約４：１である、請求項６４に記載の顆粒。
［請求項６６］
嵩密度物質をさらに含む請求項１に記載の顆粒。
［請求項６７］
嵩密度物質を、石灰岩、炭酸カルシウム、硫酸カルシウム、ドロマイト、大理石、粉末花崗岩、またはこれらの組み合わせから選択される、請求項６６に記載の顆粒。
［請求項６８］
嵩密度物質をさらに含む請求項２７に記載の顆粒。
［請求項６９］
嵩密度物質を、石灰岩、炭酸カルシウム、硫酸カルシウム、ドロマイト、大理石、粉末花崗岩、またはこれらの組み合わせから選択される、請求項６８に記載の顆粒。
［請求項７０］
嵩密度物質を混合することをさらに含む請求項４０に記載の方法。
［請求項７１］
嵩密度物質を、石灰岩、炭酸カルシウム、硫酸カルシウム、ドロマイト、大理石、粉末花崗岩、またはこれらの組み合わせから選択される、請求項７０に記載の方法。
［請求項７２］
嵩密度物質を混合することをさらに含む請求項４６に記載の方法。
［請求項７３］
嵩密度物質を、石灰岩、炭酸カルシウム、硫酸カルシウム、ドロマイト、大理石、粉末花崗岩、またはこれらの組み合わせから選択される、請求項７２に記載の方法。
［請求項７４］
嵩密度物質をさらに含む請求項６４に記載の顆粒製品。
［請求項７５］
嵩密度物質を、石灰岩、炭酸カルシウム、硫酸カルシウム、ドロマイト、大理石、粉末花崗岩、またはこれらの組み合わせから選択される、請求項７４に記載の顆粒製品。